(57)【要約】【課題】光受信レベルを遠隔操作状態でも確認する。【課題を解決するための手段】制御部と撮像部と概制御部と概撮像部とを接続する光複合ケーブルを備え、撮像部から制御部に送られた光の受信レベルと制御部から撮像部に送られた光の受信レベルを制御部の前面パネルにあるＬＥＤにて表示する撮像装置において、遠隔制御装置または集中遠隔制御装置またはビューファインダまたはピクチャモニタを有し、上記光の受信レベルを、上記撮像部または上記遠隔制御装置または上記集中遠隔制御装置または上記ビューファインダまたは上記ピクチャモニタに表示させる機能を有することを特徴とする撮像装置の制御部。【選択図】図１
2011087198.tif 000002
【特許請求の範囲】
【請求項１】
制御部と撮像部と概制御部と概撮像部とを接続する光複合ケーブルを備え、撮像部から制御部に送られた光の受信レベルと制御部から撮像部に送られた光の受信レベルを制御部の前面パネルにあるＬＥＤにて表示する撮像装置において、遠隔制御装置または集中遠隔制御装置またはビューファインダまたはピクチャモニタを有し、
上記光の受信レベルを、上記撮像部または上記遠隔制御装置または上記集中遠隔制御装置または上記ビューファインダまたは上記ピクチャモニタに表示させる機能を有することを特徴とする撮像装置の制御部。
【発明の詳細な説明】
【技術分野】
【０００１】
本発明は、光伝送を用いた撮像装置に関するものである。
【背景技術】
【０００２】
従来、テレビジョンカメラシステムでは撮像部（カメラヘッド、カメラ）と接続された制御部（カメラコントロールユニットCamera Control Unit:CCU）との間で本線映像信号，送り返し映像信号，音声信号，コントロール用シリアルデータ信号，及び電源の送受信の時分割双方向伝送を３重同軸（トライアックス）ケーブル１本の伝送路で行う方法をデジタルトライアックスシステムと称する（特許文献１）。
【０００３】
有効走査線７２０本と有効走査線１０８０本のハイビジョン（ＨＤＴＶ）では、本線映像信号，送り返し映像信号，音声信号，コントロール用シリアルデータ信号の送受信伝送と電源供給送を光複合ケーブルで用いる方が一般である。
また、一般にカメラコントロールユニットをリモートコントロールユニット（ＲＣＵ）やセットアップコントロールユニット（ＳＣＵ）で制御している。
【０００４】
本発明の一実施例と従来技術に共通な制御部と撮像部とを含む撮像装置の全体構成を示すブロック図の図１で従来技術の撮像装置を説明する。
カメラヘッド１とカメラコントロールユニット３を光複合ケーブル２で接続したテレビジョンカメラシステムでは、カメラコントロールユニット３の確認映像（ＰＩＸ）出力を確認映像（ＰＩＸ）モニタ（モニタ）４に接続してキャラクタ表示させることにより、システムの設定状態を確認し、リモートコントロールユニット５またはセットアップコントロールユニット６により、システムの設定（ＨＤＴＶ／ＮＴＳＣ／ＰＡＬ等）の変更を行なっている。
【０００５】
本発明の一実施例と従来技術に共通な光受信レベルＬＥＤ表示の概要を図２に示す。受光したモジュールは図２のグラフのように受光パワーをリニアに電圧変換し、その電圧を監視して減衰量が大きくなるにしたがって緑LED１→緑LED２→黄LED→赤LEDへと何れかのＬＥＤが点灯し、光伝送の状態を表示する。
【先行技術文献】
【特許文献】
【０００６】
【特許文献１】特開平７−２０３３９９号公報
【発明の概要】
【発明が解決しようとする課題】
【０００７】
従来の方式では光受信レベルの確認を行なう際は、カメラコントロールユニットの光受信レベルＬＥＤ表示を見に行く必要であった。
光受信レベルを遠隔操作状態でも確認する事が本発明の目的である。
【課題を解決するための手段】
【０００８】
本発明は、上記課題を解決するため、制御部と撮像部と概制御部と概撮像部とを接続する光複合ケーブルを備え、撮像部から制御部に送られた光の受信レベルと制御部から撮像部に送られた光の受信レベルを制御部の前面パネルにあるＬＥＤにて表示する撮像装置において、遠隔制御装置または集中遠隔制御装置またはビューファインダまたはピクチャモニタを有し、
上記光の受信レベルを、上記撮像部または上記遠隔制御装置または上記集中遠隔制御装置または上記ビューファインダまたは上記ピクチャモニタに表示させる機能を有することを特徴とする撮像装置の制御部である。
【０００９】
また、上記制御部において、上記光の受信レベルの情報を上記制御部から上記撮像部または上記遠隔制御装置または上記集中遠隔制御装置または上記ビューファインダまたは上記ピクチャモニタに伝送し表示させるか、上記制御部において、確認映像（MON）に上記光の受信レベルの映像を重畳して、上記光の受信レベルを表示させることの少なくとも一方の機能を有することを特徴とする撮像装置の制御部である。
【発明の効果】
【００１０】
本発明によれば、光受信レベルを遠隔操作状態でも確認できる。
【図面の簡単な説明】
【００１１】
【図１】本発明の一実施例と従来技術に共通な制御部と撮像部とを含む撮像装置の全体構成を示すブロック図
【図２】本発明の一実施例と従来技術に共通な光受信レベルＬＥＤ表示の模式図
【図３】本発明の一実施例のメンテナンス用のチェック画面の模式図
【図４】本発明の一実施例の光受信レベルＬＥＤ表示とキャラクタ表示との概要の模式図
【発明を実施するための形態】
【実施例１】
【００１２】
本発明による撮像装置の一実施例の動作の概要を本発明の一実施例と従来技術に共通な制御部と撮像部とを含む撮像装置の全体構成を示すブロック図の図１と、本発明の一実施例と従来技術に共通な光受信レベルＬＥＤ表示の模式図の図２と、本発明の一実施例のメンテナンス用のチェック画面の模式図の図３と、本発明の一実施例の光受信レベルＬＥＤ表示とキャラクタ表示との概要の模式図の図４とを用いて説明する。
【００１３】
本発明の一実施例と従来技術に共通な制御部と撮像部とを含む撮像装置の全体構成を示すブロック図の図１において、カメラヘッド１とカメラコントロールユニット３を光複合ケーブル２で接続したテレビジョンカメラシステムでは、カメラコントロールユニット３の確認映像（ＰＩＸ）出力をモニタ４に接続してキャラクタ表示させることにより、システムの設定状態を確認し、リモートコントロールユニット５またはセットアップコントロールユニット６により、システムの設定（ＨＤＴＶ／ＮＴＳＣ／ＰＡＬ等）の変更を行なっている。
【００１４】
本発明による一実施例として、カメラヘッド１とカメラコントロールユニット３がそれぞれ受光したレベルを、キャラクタ表示する機能を追加する。つまり、メンテナンス用のチェック画面に受光レベルを表示する。具体的には、本発明の一実施例と従来技術に共通な光受信レベルＬＥＤ表示の模式図の図２の様なCCUフロントのLED表示に合わせて、本発明の一実施例のメンテナンス用のチェック画面の模式図の図３の様なモードと数値にて表示する。カメラ側の受光レベルは、通信コマンドによってカメラよりデータ受信した状態を表示する。
【００１５】
光受信レベルのチェック画面とＬＥＤ表示との関係は、本発明の一実施例の光受信レベルＬＥＤ表示とキャラクタ表示との概要の模式図の図４の様にすればよい。
【００１６】
上説明したような本発明によれば、カメラコントロールユニットが近くに無い環境でも、を確認が可能となる。
【００１７】
また、カメラコントロールユニットやリモートコントロールユニットやカメラヘッドのＣＰＵのＲＯＭを書き換えるだけで対応可能なので、既に顧客へ納入しているカメラシステムへの変更も容易である。
【符号の説明】
【００１８】
１：カメラヘッド（撮像部）、
２：光複合ケーブル（光ケーブル）、
３：カメラコントロールユニット（ＣＣＵ：制御部）、
４，７：確認映像モニタ（モニタ）、
５：リモートコントロールユニット（ＲＣＵ）、
６：セットアップコントロールユニット（ＳＣＵ）、
８：ビューファインダ、
【図１】
2011087198.tif 000003
【図２】
2011087198.tif 000004
【図３】
2011087198.tif 000005
【図４】
2011087198.tif 000006